(57)【要約】【課題】  撮影中の動画像データのデータ量を認識可能とする。【解決手段】  撮像手段と、前記撮像手段により得られた動画像データを記録媒体に記録する記録手段と、表示手段と、前記動画像データの撮影中に、記録開始の指示から現在までに前記記録媒体に記録した前記動画像データのデータ量を示す数値情報を前記表示手段に表示する表示制御手段とを備える。【選択図】  図２
2006203644.tif 000002
【特許請求の範囲】
【請求項１】
撮像手段と、前記撮像手段により得られた動画像データを記録媒体に記録する記録手段と、表示手段と、前記動画像データの撮影中に、記録開始の指示から現在までに前記記録媒体に記録した前記動画像データのデータ量を示す数値情報を前記表示手段に表示する表示制御手段とを備える撮像装置。
【請求項２】
前記記録手段は更に、前記数値情報を示す付加情報を前記動画像データ共に前記記録媒体に記録することを特徴とする請求項１記載の撮像装置。
【発明の詳細な説明】
【技術分野】
【０００１】
本発明は撮像装置に関する。
【背景技術】
【０００２】
近年、ビデオカメラで記録した映像を記録するメディアとして、従来の磁気テープから、ハードディスク、または、半導体フラッシュメモリーとうの記録媒体へと移行しようとしている。
【０００３】
ハードディスクは、記録媒体としての容量は十分であるが、容量がいっぱいになっても磁気テープを交換する様には安易に交換することが出来ない。また、フラッシュメモリーは、記録容量に対する価格が高いため、ユーザーは、容量がいっぱいになったとしても、次に使うときは、フラッシュメモリーを買い増しすることは、容易に出来ない。
【０００４】
従って、今後のビデオカメラの記録媒体がハードディスクやフラッシュメモリーになった場合、ユーザーは、ビデオカメラの記録媒体から他の安価な記録媒体にデータを保存し、ビデオカメラの記録媒体のデータを消去して使うことになる。
【０００５】
静止画を記録するデジタルカメラ等では、一枚の容量が少ないので、パソコンのハードディスクにデータを保存すれば問題ないが、高品質の動画をパソコンのハードディスクに保存しようとしても、容量が大きいため、すぐにパソコンのハードディスク容量がいっぱいになってしまう。
【０００６】
ＭＰＥＧ２で、ハイビジョンの映像データを高品位で記録するには、１時間の映像でも１０ＧＢ以上もの容量が必要になる。
【０００７】
そこで、ユーザーは、データを保存するメディアとして、ＤＶＤ−Ｒ等の安価な記録媒体に保存する事になる。ＤＶＤ−Ｒの記録容量は、現在４．７ＧＢである。
【０００８】
ビデオカメラで映像を記録する際は、通常、ユーザーは、記録時間を管理しながら撮影を行う。磁気テープを使用したＤＶフォーマットであれば、記録時間と記録容量は１：１で決まっているが、ＭＰＥＧ２等の圧縮方法においては、記録時間と使用した記録容量は撮影したシーンによって違ってくることになる。
【０００９】
従って、ＭＰＥＧ２で圧縮した映像データを、ＤＶＤ−Ｒにダビングする事を前提に撮影する場合に、従来のように、撮影時間で管理することから、撮影したメモリー容量で管理する必要がある。
【特許文献１】特開平１１−２８８５８１号公報
【発明の開示】
【発明が解決しようとする課題】
【００１０】
しかしながら、上記従来例に於いては、記録媒体の残量や、現在のポジションを認識するためには便利であるが、実際に記録に使った容量がどれほどかを知ることはできない。
【００１１】
本発明はこの様な問題を解決し、撮影中の動画像データのサイズを容易に認識可能な装置を提供することを目的とする。
【課題を解決するための手段】
【００１２】
前記課題を解決するため、本発明においては、撮像手段と、前記撮像手段により得られた動画像データを記録媒体に記録する記録手段と、表示手段と、前記動画像データの撮影中に、記録開始の指示から現在までに前記記録媒体に記録した前記動画像データのデータ量を示す数値情報を前記表示手段に表示する表示制御手段とを備える構成とした。
【発明の効果】
【００１３】
本出願に係わる発明によれば、容易に撮影中の動画像データのサイズを認識することが可能となる。
【発明を実施するための最良の形態】
【００１４】
（実施例１）
図１及び図２は、本発明第１の実施例の特徴を最もよく表す図画であり、以下、本発明を図面に示す実施形態に基づいて説明する。
【００１５】
図１は、本発明の特徴を示すためのブロック図である。
【００１６】
１は、映像を結像するためのレンズ。２はＣＣＤセンサー。３は、ＣＣＤ出力をサンプルホールドして、ＡＧＣをかけ、さらにＡ／Ｄ変換を行う信号処理ブロック。４は、３からＲＡＷデータを加工して、映像データをつくるためのカメラ信号処理ブロック。７は、４からの映像データを記録媒体に記録するための画像圧縮を行うブロックである。５，６は、それぞれカメラ信号処理と画像圧縮に使用するＳＤＲＡＭを表している。
【００１７】
９は、カメラをコントロールするマイコン手段であり、このマイコンによって、８のレンズドライバ、３のＳ／Ｈ＆ＡＧＣ／ＡＤブロックがコントロールされる。１１は、表示制御及び表示用のドライバであり、１０は、表示装置、ビデオカメラに付随する液晶モニターを表す。
【００１８】
１２は、記録媒体に記録する前にデータ保存を行うバッファメモリー。１３は、記録媒体であり、これは、磁気テープ、ハードディスク、光ディスク、半導体フラッシュメモリーなどにあたるものである。
【００１９】
１４は、モードコントロールを行うブロックであり、ユーザーとのインターフェイスとなるブロックである。
【００２０】
レンズブロック１は、被写体の像を２のＣＣＤに結像させ、３でＣＣＤ出力をサンプルホールドして所定のレベルに増幅してＡ／Ｄ変換を行いＲＡＷデータをつくる、次に４のカメラ信号処理で映像信号をつくる。この信号をさらに記録するために７の画像圧縮ブロックにて圧縮して記録信号を作り出す。圧縮された信号は、１２のバッファメモリーに転送され、記録媒体であるところの１３に記録される。
【００２１】
レンズは、９のカメラコントロール用のマイコンから８のレンズドライバを介して制御される。
【００２２】
１４はモードコントロールで、ユーザーとのインターフェイスとしてビデオカメラのモードをコントロールする。
【００２３】
７の画像圧縮処理で圧縮されたデータは、単位時間もしくは、サムネイル画像単位で、データ量を１１の表示制御＆表示ドライバに送ることにより１１の表示制御＆表示ドライバは、１０の表示装置に記録時間の情報とともに、記録している容量を１０の表示装置に表示する。また、表示する積算容量は、１２のバッファメモリーの蓄積容量を加算する事で、より正確な表示を行うことが可能になる。
【００２４】
図２は、本発明の特徴を表す２番目の図画であり、ビデオカメラ本体に付属している液晶モニターの映像を表現している。
【００２５】
２１は、従来のビデオカメラで表示している累積の記録時間を表している。２２は、上記、図１で説明した累積記録容量を表している。
【００２６】
図２の状態は、記録時間が３９分２９秒を示し、そこまでの記録容量が３．１２ＧＢであることを表す例である。
【００２７】
（実施例２）
図３は、本発明第２の実施例の特徴を最もよく表す図画であり、以下、本発明を図面に示す実施形態に基づいて説明する。
【００２８】
図３は、テープに映像信号を記録した、トラックパターンを示している。３１はＳＵＢコードエリア。
【００２９】
３２は、圧縮された映像と音声信号を記録している部分。３３は、トラックの情報が書き込まれているＩＴＩエリアで、１トラックは、上記３つのエリアに分けられている。
【００３０】
磁気テープの場合は、第１の実施例で表示に使った累積の容量を、記録時間とともにＳＵＢコードエリアにデータとして記録しておく。トラックに累積容量が書き込まれていることにより、電源のＯＮ／ＯＦＦや、テープを出し入れした場合においても、テープをサーチせずに記録済みの容量をユーザーが知ることが出来る。
【図面の簡単な説明】
【００３１】
【図１】本発明の第１の実施例を表す図である。
【図２】本発明の第１の実施例を表す図である。
【図３】本発明の第２の実施例を表す図である。
【符号の説明】
【００３２】
１  レンズ
２  ＣＣＤ
３  サンプルホールド＆ＡＧＣ＆Ａ／Ｄ
４  カメラ信号処理ブロック
５  ＳＤＲＡＭ
６  ＳＤＡＲＡＭ
７  画像圧縮処理ブロック
８  レンズドライバ
９  カメラコントロールマイコン
１０  表示装置
１１  表示制御＆表示ドライバ
１２  バッファメモリー
１３  記録媒体
１４  モードコントロールマイコン
２１  タイムコード表示
２２  累積容量の表示
３１  ＳＵＢコードエリア
３２  ビデオ＆オーディオエリア
３３  ＩＴＩエリア
【図１】
2006203644.tif 000003
【図２】
2006203644.tif 000004
【図３】
2006203644.tif 000005